(57)【要約】【課題】配管を屋外まで導く必要がなくて煩雑な配管作業を必要とせず、余剰水が排水される部分の掃除が容易に行え、洗い場側床パン上に余剰水が流れることのない浴室ミスト装置の排水構造を提供する。【解決手段】浴室２内にミストを送る浴室ミスト装置１を備える。浴室ミスト装置１内で発生した余剰水を排出路３８を介して洗い場を構成する洗い場側床パン３ｂに形成した排水口部８へと排出する浴室ミスト装置の排水構造である。浴室ミスト装置１に連通する排出路３８を浴室２の壁裏を通した後、浴槽６の洗い場側の側壁６ａと該側壁６ａに対向するエプロン１１との間に至らせる。排出路３８の下流端を前記排水口部８の上方の位置でエプロン１１の下部から洗い場側に開口させる。【選択図】図１
2007296238.tif 000002
【特許請求の範囲】
【請求項１】
浴室内にミストを送る浴室ミスト装置を備え、該浴室ミスト装置内で発生した余剰水を排出路を介して洗い場を構成する洗い場側床パンに形成した排水口部へと排出する浴室ミスト装置の排水構造であって、前記浴室ミスト装置に連通する排出路を浴室の壁裏を通した後、浴槽の洗い場側の側壁と該側壁に対向するエプロンとの間に至らせ、該排出路の下流端を前記排水口部の上方の位置でエプロンの下部から洗い場側に開口させることを特徴とする浴室ミスト装置の排水構造。
【発明の詳細な説明】
【技術分野】
【０００１】
本発明は浴室内にミストを噴出する浴室ミスト装置の排水構造に関するものである。
【背景技術】
【０００２】
特許文献１に示す従来の浴室ミスト装置は浴室の天井裏等に設置され、装置内で発生したミストを浴室内に送り出すことで浴室内を加湿し、これにより例えば浴室内に高温のミストを送ることで浴室内を多湿のサウナ空間とできるものである。
【０００３】
ところでこの種の浴室ミスト装置は運転時に装置内に発生する余剰水を排水する必要がある。この排水方法としては余剰水を直接屋外へと導き排水する方法と、浴室の床に形成した排水口部を介して排水する方法の二種類があり、前者では浴室に設けた浴室ミスト装置内で発生した余剰水を屋外まで導くための配管を設ける必要があって煩雑な配管作業が必要となる。
【０００４】
また後者の排水方法では浴室ミスト装置内で発生した余剰水を排出路を介して排水するものであり、前者のように配管を屋外まで導く必要がない。この排出路の排水先としては例えば浴槽が設置される床を構成する浴槽側床パンに形成した浴槽側排水口部が挙げられる。しかし浴槽側排水口部から排水する場合、浴槽の下に位置する浴槽設置用床パン上や浴槽側排水口部に余剰水が流れて排出されるのだが、この部分にはカビやヌメリが発生しやすく、このカビやヌメリを取るには、エプロンを浴槽から取り外して浴槽の下に位置する掃除がし難い箇所に手を入れて掃除をするといった非常に面倒な作業が必要となる。
【０００５】
また例えば前記排出路の下流端を浴室の洗い場側の壁から開口させ、排出路から排出した余剰水を洗い場の床を形成する洗い場側床パン上に流して、洗い場側床パンに形成した洗い場側排水口部から排水することも考えられるが、この場合は洗い場に居る人の足元に余剰水が流れて不快感を与えてしまうし、また見た目にも悪い。
【特許文献１】特開２００６−２５９６４号公報
【発明の開示】
【発明が解決しようとする課題】
【０００６】
本発明は上記従来の問題点に鑑みて発明したものであって、配管を屋外まで導く必要がなくて煩雑な配管作業を必要とせず、また余剰水が排水される部分の掃除が容易に行え、尚且つ洗い場側床パン上に余剰水が流れることのない浴室ミスト装置の排水構造を提供することを課題とするものである。
【課題を解決するための手段】
【０００７】
上記課題を解決するために本発明に係る浴室ミスト装置の排水構造は、浴室２内にミストを送る浴室ミスト装置１を備え、該浴室ミスト装置１内で発生した余剰水を排出路３８を介して洗い場を構成する洗い場側床パン３ｂに形成した排水口部８へと排出する浴室ミスト装置の排水構造であって、前記浴室ミスト装置１に連通する排出路３８を浴室２の壁裏を通した後、浴槽６の洗い場側の側壁６ａと該側壁６ａに対向するエプロン１１との間に至らせ、該排出路３８の下流端を前記排水口部８の上方の位置でエプロン１１の下部から洗い場側に開口させることを特徴とするものである。
【０００８】
このように浴室ミスト装置１に連通する排出路３８を浴室２の壁裏を通した後、浴槽６の洗い場側の側壁６ａと該側壁６ａに対向するエプロン１１との間に至らせ、該排出路３８の下流端を前記排水口部８の上方の位置でエプロン１１の下部から洗い場側に開口させることで、この排出路３８を介して浴室ミスト装置１内に発生した余剰水を洗い場側床パン３ｂの排水口部８に流すことができ、これにより配管を屋外まで導く必要がなくて煩雑な配管作業を必要とせず、また余剰水が排水される部分の掃除が容易になる。また排出路３８の下流端は洗い場側床パン３ｂの上方位置で開口しているので、排出路３８からの余剰水を直接排水口部８に流すことができ、洗い場側床パン３ｂ上に余剰水が流れることがなく、洗い場に居る人に不快感を与えない。
【発明の効果】
【０００９】
本発明では、配管を屋外まで導く必要がなくて煩雑な配管作業を必要とせず、また余剰水が排水される部分の掃除が容易になり、また洗い場側床パン上に余剰水が流れず、洗い場に居る人に不快感を与えない。
【発明を実施するための最良の形態】
【００１０】
以下、本発明を添付図面に示す実施形態に基づいて説明する。図１に示すように浴室ミスト装置１を備えた浴室２は、浴室２の平面視矩形状の床を構成する床パン３と、四方の壁を構成する壁パネル４と、天井を構成する天井パネル５を備えたユニットバスルームからなる。床パン３は平面視長方形状の二分割された浴槽側床パン３ａと洗い場側床パン３ｂとからなり、浴槽側床パン３ａに浴槽６が設置され、また浴槽側床パン３ａとは別体の洗い場側床パン３ｂで洗い場が構成される。
【００１１】
図２に示すように洗い場側床パン３ｂの底面部７の浴槽６側の端縁からは洗い場側床パン３ｂ上の水が浴槽６側に流れることを防止する堤部９を一体に立ち上げている。洗い場側床パン３ｂの底面部７の浴槽２側の端部の中央部には排水口部８を形成してあり、洗い場側床パン３ｂの底面部７は排水口部８側に向かって水勾配が付けられている。従って洗い場側床パン３ｂの底面部７上の水は排水口部８から図示しない排出管等を介して屋外に排出できるようになっている。
【００１２】
浴槽側床パン３ａ上に設置される浴槽６の上端部には外方に向けて突出するフランジ部１０を周方向の全長に亘って設けてあり、フランジ部１０の外周端面の洗い場側を除く部分は壁パネル４の浴室２側の面に沿う。フランジ部１０の洗い場側に突出する部分１０ａは堤部９の上方に位置し、該洗い場側のフランジ部１０ａの下面と洗い場側床パン３ｂの堤部９の上端との間は浴槽６に取付けたエプロン１１によって閉塞され、該エプロン１１で浴槽６の洗い場側の側壁６ａが覆われている。
【００１３】
エプロン１１は、板状の表面部１２の両側縁から側縁片部１３を背方に向けて突出すると共に、下端縁から下縁片部１４を背方に向けて突出してあり、各側縁片部１３の下端は下縁片部１４の側端に接続されている。エプロン１１の表面部１２の下部の両側からは背方に向けて係止部１５を突出している。表面部１２の上縁部を洗い場側に設けたフランジ部１０ａの下面側に着脱自在に取付けると共に、下部の係止部１５を堤部９上に載設した被係止部１７に係脱自在に係止することで、エプロン１１は上部を浴槽６に、下部を洗い場側床パン３ｂに着脱自在に取付けてある。この取付状態にあるエプロン１１は下縁片部１４の後端縁が洗い場側床パン３ｂの堤部９の洗い場側の面に当接した状態で排水口部８の上方に位置する。なおエプロン１１の上縁部をフランジ部１０の下面側に着脱自在に取付ける手段としては例えば特開２００４−０５７４０５のような従来から公知の手段が採用されるものであり、この手段についての説明は省略する。
【００１４】
図１のように浴室ミスト装置１は上記浴室２の天井パネル５上で且つ浴槽６の上方に位置する部分に設けてあり、この位置から浴室２内に向けてミストを送り出せるようになっている。浴室ミスト装置１は、浴室２にミストを送り出して浴室２内を多湿のサウナ空間とするサウナ機能に加えて、浴室２を乾燥する乾燥機能、浴室２を暖房する暖房機能、浴室２を換気する換気機能、浴室２に涼風を送る涼風機能を備えている。
【００１５】
図３に示すように浴室ミスト装置１は天井パネル５上に配設したケーシング１６により外郭を構成し、ケーシング１６内には循環風路１８を形成している。循環風路１８の一端は天井パネル５から開口する吸込口１９に接続し、他端は天井パネル５から開口する吹出口２０に接続している。循環風路１８の途中には循環ファン２１を設けてあり、循環ファン２１を運転することで吸込口１９から浴室２内の空気を吸い込み、この吸い込んだ空気を吹出口２０から浴室２内に向けて噴出できるようになっている。循環風路１８の上流部はケーシング１６の内面によって形成されるのに対して、循環風路１８の下流部は循環ファン２１を内装するファンケース２２の内面によって構成してある。
【００１６】
ケーシング１６にはファンケース２２内（つまり循環風路１８内）を流れる空気に粒径が１μｍ以下のミストを送るミスト発生装置を内装している。図４に示すようにミスト発生装置は、給水管２４と、給水管２４内を流れる水を加熱する手段としての水加熱用熱交換器２５と、給水管２４の水加熱用熱交換器２５よりも下流側に設けた電磁弁からなるミスト用開閉弁２６と、給水管２４の下流側端部に設けた噴射ノズル２７と、噴射ノズル２７から噴射したミストが衝突する位置に配設したミスト用ファン２８とを備え、これら水加熱用熱交換器２５、ミスト用開閉弁２６、噴射ノズル２７、ミスト用ファン２８はファンケース２２の外側面に設けたミスト装置ケース２９の内部に配設されている。水加熱用熱交換器２５は熱源機によって循環する配管３０（図３参照）内の温水を熱媒として給水管２４内の水を加熱する水−水熱交換器からなり、水加熱用熱交換器２５に配管３０から温水を供給するか否かは配管３０の途中に設けた熱動弁からなる水加熱用開閉弁３１によって切替可能となっている。
【００１７】
またファンケース２２の上流側端部には吸込口１９を経てファンケース２２内に吸い込んだ空気を加熱する手段としての空気加熱用熱交換器３２を設けている。空気加熱用熱交換器３２は前述の配管３０内を流れる温水を熱媒として空気を加熱する空気−水熱交換器からなり、空気加熱用熱交換器３２に配管３０から温水を供給するか否かは配管３０の途中に設けた熱動弁からなる暖房用開閉弁３３によって切替可能となっている。なお本例では熱交換器２５、３２に供給される熱媒を同一の配管３０から分配して熱媒を兼用するようにしたが、勿論、熱交換器２５、３２毎に夫々独立して熱媒を供給するようにしても良い。
【００１８】
またケーシング１６の内面とファンケース２２の外面との間には循環風路１８の上流部から分岐した分岐風路３５を形成してあり、該分岐風路３５の分岐点とは反対側はケーシング１６の側面の排気口を介して屋外に連通している。分岐風路３５の途中には換気ファン３６を設けてあり、該換気ファン３６を同じく分岐風路３５に設けたダンパ３７を開いた状態で運転することで、吸込口１９から浴室２内の空気を吸い込み、この空気を分岐風路３５を介して屋外に排出できる。なお分岐風路３５を断続させる手段としてのダンパ３７は換気ファン３６よりも上流側に配置されている。
【００１９】
上記構成を有する浴室ミスト装置１を用いて、乾燥運転、暖房運転、換気運転、涼風運転、サウナ運転を行う場合は、以下の表１に示すように、循環ファン２１、換気ファン３６、暖房用開閉弁３３、ダンパ３７、水加熱用開閉弁３１、ミスト用開閉弁２６、ミスト用ファン２８を動作させる。
【００２０】
【表１】
2007296238.tif 000003
【００２１】
即ち、乾燥運転では、循環ファン２１及び換気ファン３６を運転し、暖房用開閉弁３３及びダンパ３７を開き、またミスト用ファン２８を運転せず、水加熱用開閉弁３１及びミスト用開閉弁２６を閉じる。これにより浴室２内の空気は吸込口１９から循環風路１８の上流部に流入し、ファンケース２２内及び分岐風路３５に流れる。このうちファンケース２２内に流れた空気は空気加熱用熱交換器３２で加熱された後、吹出口２０から下方の浴室２内に向けて吹き出され、また分岐風路３５に流れた空気は屋外に排出され、この結果、浴室２内は乾燥する。
【００２２】
暖房運転では、循環ファン２１を運転し、暖房用開閉弁３３を開き、また換気ファン３６及びミスト用ファン２８は運転せず、ダンパ３７、水加熱用開閉弁３１、ミスト用開閉弁２６を閉じる。これにより浴室２内の空気は吸込口１９から循環風路１８に流入し、空気加熱用熱交換器３２で加熱された後、吹出口２０から下方の浴室２内に向けて吹き出され、この結果、浴室２内は暖房される。
【００２３】
換気運転では、換気ファン３６を運転し、ダンパ３７を開き、また循環ファン２１及びミスト用ファン２８を運転せず、暖房用開閉弁３３、水加熱用開閉弁３１、ミスト用開閉弁２６を閉じる。これにより浴室２内の空気は吸込口１９から循環風路１８の上流部、分岐風路３５を経て屋外に排出され、この結果、浴室２内は換気される。
【００２４】
涼風運転では、循環ファン２１及び換気ファン３６を運転し、ダンパ３７を開き、またミスト用ファン２８を運転せず、暖房用開閉弁３３、水加熱用開閉弁３１、ミスト用開閉弁２６を閉じる。これにより浴室２内の空気は吸込口１９から循環風路１８の上流部に流入し、ファンケース２２内及び分岐風路３５に流れる。このうちファンケース２２内に流れた空気は吹出口２０から下方の浴室２内に向けて吹き出され、また分岐風路３５に流れた空気は屋外に排出され、この結果、浴室２内に涼風が送られる。
【００２５】
サウナ運転では、循環ファン２１及びミスト用ファン２８を運転し、暖房用開閉弁３３を開き、水加熱用開閉弁３１、ミスト用開閉弁２６を開き、また換気ファン３６を運転せず、ダンパ３７を閉じる。これにより浴室２内の空気は循環風路１８に流入し、空気加熱用熱交換器３２で加熱された後、吹出口２０から下方の浴室２内に向けて吹き出される。また同時にミスト装置ケース２９内では、水加熱用熱交換器２５で加熱された温水が噴射ノズル２７から下方のミスト用ファン２８に向けて噴射される。噴射されたミストは高速回転するミスト用ファン２８によりさらに細かく破砕され、これにより粒径が１μｍ以下と非常に小さいミストが発生し、この発生したミストが図４の破線矢印に示すようにミスト装置ケース２９内に連通するファンケース２２の循環ファン２１の下流側に送られる。このミストは循環ファン２１から送られる風と共に吹出口２０から浴室２内に向けて吹き出され、この結果、浴室２内は高温多湿のサウナ空間となる。
【００２６】
また上記浴室ミスト装置１のミスト運転時には噴射ノズル２７から噴射したミストの一部がミスト装置ケース２９の底部に落ちる。そこでミスト装置ケース２９の底部２９ａはこのミストを受ける受け部としてあり、またこのミスト装置ケース２９の底部には排出路３８を接続してあり、排出路３８を介して余剰水を洗い場側床パン３ｂの排水口部８へと排出されるようにしている。
【００２７】
排出路３８は図１及び図２に示すように浴室ミスト装置１から、浴室２の天井裏を経て浴槽６に面する壁裏を通った後、浴室２の壁の下部を貫通して、浴槽６の洗い場側の側壁６ａと該側壁６ａに対向するエプロン１１との間の空間に至り、該排出路３８の下流端は前記排水口部８の上方位置でエプロン１１の下部から洗い場側に向けて下方に開口している。つまり排出路３８は浴室２から見えないようになっている。
【００２８】
上記排出路３８は、浴室２外に位置して架橋ポリエチレン管等からなる室外側排水管３９の一端を浴室ミスト装置１のミスト装置ケース２９に連通接続すると共に他端を浴室２の壁の浴槽６に対向する部分に貫通して設けた接続金具４０の室外側に接続し、浴室２内に位置してゴム管等の可撓性を有する室内側排水管４１の一端を接続金具４０の室内側に接続すると共に他端をエプロン１１の下部に接続することで構成してある。室内側排水管４１を可撓性を有するものとしたのは、室内側排水管４１の一端を浴室２の壁に設けた接続金具４０の室内側に接続すると共に他端をエプロン１１の下部に接続し、このエプロン１１を浴槽６側に取付けることで、室内側排水管４１を容易にエプロン１１の裏側に配置できるようにするためである。
【００２９】
また図２の例では、エプロン１１の表面部１２の下部において洗い場側床パン３ｂの排水口部８に対応する部分である中央部に後方に凹み且つ下方及び前方に開口する正面視矩形状の凹部４２を形成し、該凹部４２の排水口部８に対向する上底面部に排出口部品４３を貫通して設け、この下方の排水口部８に向けて開口する排出口部品４３に室内側排水管４１の一端を接続し、この排出口部品４３により排出路３８の下流端開口部を構成している。
【００３０】
上記排出路３８を設けることで、浴室ミスト装置１内に前述の余剰水が発生した場合には、この余剰水を洗い場側床パン３ｂの排水口部８に流すことができ、この場合、余剰水はエプロン１１を取り外すことなく容易に掃除ができる洗い場側床パン３ｂの排水口部８に流すことができる。また排出路３８の下流端は洗い場側床パン３ｂの上方に開口しているので、排出路３８からの余剰水を直接排水口部８に流すことができ、従来のように洗い場側床パン３ｂ上に居る人の足元に余剰水が流れない。またエプロン１１の下部に形成した凹部４２の上底面部に排出路３８の下流側端部を接続しているので、排出口部品４３のエプロン１１の表面から僅かながら突出する部分を凹部４２内に収めることができ、これによりエプロン１１の下縁片部１４が洗い場側床パン３ｂの底面部７の上面近傍に位置する場合にも支障がないし、この排出口部品４３に当たって怪我をする恐れもない。
【００３１】
なお図２ではエプロン１１に凹部４２を形成し、この凹部４２の上底面部に排出路３８の下流側端部を構成する排出口部品４３を設けたが、エプロン１１の下縁片部１４と洗い場側床パン３ｂの底面部７の上面との間に前記排出口部品４３の突出部分を収納できる程度の隙間を形成できる場合は、上記排出口部品４３を図５のように下縁片部１４の排水口部８の上方に位置する部分に設けても良いものとする。
【図面の簡単な説明】
【００３２】
【図１】本発明の実施の形態の一例の排水構造を示し、壁の図示を一部省略した浴室の斜視図である。
【図２】同上のエプロンを取付ける前の状態を示す分解斜視図である。
【図３】同上の浴室ミスト装置の内部を示す説明図である。
【図４】同上のミスト発生装置の内部を示す説明図である。
【図５】他例の排水構造を示し、エプロンを取付ける前の状態を示す分解斜視図である。
【符号の説明】
【００３３】
１  浴室ミスト装置
２  浴室
３ｂ  洗い場側床パン
６  浴槽
６ａ  側壁
８  排水口部
１１  エプロン
３８  排出路
【図１】
2007296238.tif 000004
【図２】
2007296238.tif 000005
【図３】
2007296238.tif 000006
【図４】
2007296238.tif 000007
【図５】
2007296238.tif 000008